(57)【要約】【課題】一次送りブレーカ等の一次送り機器を備えた分電盤において主幹ブレーカの一次側に配置される一次送り端子台の長手方向距離を短縮可能とする技術を提供すること。【解決手段】多極式の主幹ブレーカ３の一次側に接続される接続バーを備えた一次送り端子台１であって、該接続バー４は、主幹ブレーカ３の一次側端子を接続する主幹ブレーカ接続部２４を備えた電源接続板部７と、プラグイン式の一次送り機器２を接続する一次送り機器接続板部８と、該電源接続板部７と一次送り機器接続板部８とを連結する連結板部９からなり、各極の電源接続板部７は、その板面を一次送り端子台１を設置する分電盤の基板と平行にした状態で並列配置され、少なくとも一極の連結板部９は、その板面を分電盤の基板と垂直にした状態で、各電源接続板部と基板との間に形成される空間に配置される垂直連結部１４、１５、１６、１８、１９を有する。【選択図】図２
2015167452.tif 000002
【特許請求の範囲】
【請求項１】
多極式の主幹ブレーカの一次側に接続される接続バーを備えた一次送り端子台であって、該接続バーは、主幹ブレーカの一次側端子を接続する主幹ブレーカ接続部を備えた電源接続板部と、プラグイン式の一次送り機器を接続する一次送り機器接続板部と、該電源接続板部と一次送り機器接続板部とを連結する連結板部からなり、各極の電源接続板部は、その板面を一次送り端子台を設置する分電盤の基板と平行にした状態で、並列配置され、少なくとも一極の連結板部は、その板面を分電盤の基板と垂直にした状態で、各電源接続板部と基板との間に形成される空間に配置される垂直連結部を有することを特徴とする一次送り端子台。
【請求項２】
各極の電源接続板部は、電源線接続部と主幹ブレーカ接続部とを備え、少なくとも一極の連結板部は、主幹ブレーカの短手方向に向けて延設させた延設部を、その板面を一次送り端子台を設置する分電盤の基板と垂直にした状態で、電源線接続部と主幹ブレーカ接続部との間に配置したことを特徴とする請求項１記載の一次送り端子台。
【請求項３】
前記延設部は、複数極を平行に配置したことを特徴とする請求項２記載の一次送り端子台。
【請求項４】
連結板部は、一次送り機器接続板部と連なる渡り部を有し、少なくとも一極の渡り部と、同一極の一次送り機器接続板部とを、合わせて略Ｌ字を形成するように配置し、該略Ｌ字で区切られた空間のうち、内側の空間を前記一次送り機器の配置空間としたことを特徴とする請求項１記載の一次送り端子台。
【請求項５】
該略Ｌ字で区切られた空間のうち、内側の空間に対向する外側の空間を前記一次送り機器の配置空間とし、主幹ブレーカと前記外側の空間との間の空間部も一次送り機器の配置空間としたことを特徴とする請求項４記載の一次送り端子台。
【請求項６】
前記渡り部は、電源接続板部と並列配置され、
該渡り部のうち、前記一次送り機器接続板部と連なる基端側の端部を、プラグイン式の一次送り機器を接続する一次送り機器接続部としたことを特徴とする請求項１記載の一次送り端子台。
【請求項７】
前記一次送り機器接続板部を支持する支持部材を備えることを特徴とする請求項１〜４記載の何れかに記載の一次送り端子台。
【発明の詳細な説明】
【技術分野】
【０００１】
本発明は、一次送りブレーカ等の一次送り機器を備えた分電盤において、主幹ブレーカの一次側に接続される一次送り端子台に関するものである。
【背景技術】
【０００２】
従来、一次送り機器として使用されるブレーカ等は、主幹ブレーカと入線端子台との間に配置された接続バーに、電線で接続されていたため、一次送りブレーカの交換や増設作業に手間がかかる問題があった。この問題を回避する手段として、主幹ブレーカの一次側端子に接続される一次送り端子台から、一次送り用プラグイン母線バーを分岐させ、この一次送り用プラグイン母線バーを積層させて、主幹ブレーカの長手方向の側面に沿って配置して、ここに、プラグイン式の一次送りブレーカを接続する構造が開示されている（特許文献１）。
【０００３】
しかし、特許文献１の技術は、図７に示すように、３極式の主幹ブレーカ１０１の一次側に配置される一次送り端子台１０２から、３極の渡りバー１０３、１０４、１０５を分岐させ、この渡りバー１０３、１０４、１０５を介して、３極の一次送り用プラグイン母線バー１０６を主幹ブレーカの長手方向の側面に沿って配置するものであり、平板形状の渡りバー１０３、１０４、１０５は、各々、その板面を分電盤の基板と平行にした状態で、並列配置されているため、一次送り端子台１０２の主幹ブレーカ１０１の長手方向距離は、少なくとも、３極の渡りバー１０３、１０４、１０５を並列配置できるだけの距離を確保する必要があり、その結果、一次送り端子台１０２の長手方向距離のコンパクト化が図れないという欠点があった。
【先行技術文献】
【特許文献】
【０００４】
【特許文献１】特開２０１０−２２０８７号公報
【発明の概要】
【発明が解決しようとする課題】
【０００５】
本発明の目的は前記の問題を解決し、一次送り機器として使用されるブレーカ等を備えた分電盤において主幹ブレーカの一次側に接続される一次送り端子台の長手方向距離を短縮可能とする技術を提供することである。
【課題を解決するための手段】
【０００６】
上記課題を解決するためになされた本発明の端子台は、多極式の主幹ブレーカの一次側に接続される接続バーを備えた一次送り端子台であって、該接続バーは、主幹ブレーカの一次側端子を接続する主幹ブレーカ接続部を備えた電源接続板部と、プラグイン式の一次送り機器を接続する一次送り機器接続板部と、該電源接続板部と一次送り機器接続板部とを連結する連結板部からなり、各極の電源接続板部は、その板面を一次送り端子台を設置する分電盤の基板と平行にした状態で、並列配置され、少なくとも一極の連結板部は、その板面を分電盤の基板と垂直にした状態で、各電源接続板部と基板との間に形成される空間に配置される垂直連結部を有することを特徴とするものである。
【０００７】
請求項２記載の発明は、請求項１記載の端子台において、各極の電源接続板部は、電源線接続部と主幹ブレーカ接続部とを備え、少なくとも一極の連結板部は、主幹ブレーカの短手方向に向けて延設させた延設部を、その板面を一次送り端子台を設置する分電盤の基板と垂直にした状態で、電源線接続部と主幹ブレーカ接続部との間に配置したことを特徴とするものである。
【０００８】
請求項３記載の発明は、請求項２記載の端子台において、前記延設部は、複数極を平行に配置したことを特徴とするものである。
【０００９】
請求項４記載の発明は、請求項１記載の一次送り端子台において、連結板部は、一次送り機器接続板部と連なる渡り部を有し、少なくとも一極の渡り部と、同一極の一次送り機器接続板部とを、合わせて略Ｌ字を形成するように配置し、該略Ｌ字で区切られた空間のうち、内側の空間を前記一次送り機器の配置空間としたことを特徴とするものである。
【００１０】
請求項５記載の発明は、請求項４記載の端子台において該略Ｌ字で区切られた空間のうち、内側の空間に対向する外側の空間を前記一次送り機器の配置空間とし、主幹ブレーカと前記外側の空間との間の空間部も一次送り機器の配置空間としたことを特徴とするものである。
【００１１】
請求項６記載の発明は、請求項１記載の一次送り端子台において、前記渡り部は、電源接続板部と並列配置され、該渡り部のうち、前記一次送り機器接続板部と連なる基端側の端部を、プラグイン式の一次送り機器を接続する一次送り機器接続部としたことを特徴とするものである。
【００１２】
請求項７記載の発明は、請求項１〜４記載の何れかに記載の一次送り端子台において、前記一次送り機器接続板部を支持する支持部材を備えることを特徴とするものである。
【発明の効果】
【００１３】
本発明では多極式の主幹ブレーカの一次側に接続される接続バーを備えた一次送り端子台において、該接続バーは、主幹ブレーカの一次側端子を接続する主幹ブレーカ接続部を備えた電源接続板部と、プラグイン式の一次送り機器を接続する一次送り機器接続板部と、該電源接続板部と一次送り機器接続板部とを連結する連結板部からなり、各極の電源接続板部は、その板面を一次送り端子台を設置する分電盤の基板と平行にした状態で、並列配置され、少なくとも一極の連結板部は、その板面を分電盤の基板と垂直にした状態で、各電源接続板部と基板との間に形成される空間に配置される垂直連結部を有する構造を採用しているため、特許文献１の技術に比べて、主幹ブレーカの一次側に接続される一次送り端子台の長手方向距離を短縮することができる。
【００１４】
請求項２記載のように、各極の電源接続板部は、電源線接続部と主幹ブレーカ接続部とを備え、少なくとも一極の連結板部は、主幹ブレーカの短手方向に向けて延設させた延設部を、その板面を一次送り端子台を設置する分電盤の基板と垂直にした状態で、電源線接続部と主幹ブレーカ接続部との間に配置することにより、あるいは、請求項３記載の発明のように、前記延設部を、複数極を平行に配置することにより、連結板部の、主幹ブレーカの長手方向距離を短縮することができる。
【００１５】
請求項４記載の発明のように、連結板部は、一次送り機器接続板部と連なる渡り部を有し、少なくとも一極の渡り部と、同一極の一次送り機器接続板部とを、合わせて略Ｌ字を形成するように配置し、該略Ｌ字で区切られた空間のうち、内側の空間を前記一次送り機器の配置空間とすることにより一次送り機器を一次送り端子台に省スペースで接続することができる。
【００１６】
請求項５記載の発明のように、略Ｌ字で区切られた空間のうち、内側の空間に対向する外側の空間を前記一次送り機器の配置空間とし、主幹ブレーカと前記外側の空間との間の空間部も一次送り機器の配置空間とすることにより、コンパクトなスペースに、前記一次送り機器を前記主幹ブレーカ側に密集させて配置することができる。
【００１７】
請求項６記載の発明のように、渡り部は、電源接続板部と並列配置され、該渡り部のうち、前記一次送り機器接続板部と連なる基端側の端部を、プラグイン式の一次送り機器を接続する一次送り機器接続部とした構造とすることにより、更に、コンパクト化を図ることができる。
【００１８】
請求項７記載の発明のように、一次送り機器接続板部を支持する支持部材を備える構造とすることにより、一次送り機器接続板部を安定して保持することができる。
【図面の簡単な説明】
【００１９】
【図１】分電盤内を上面から見た図である。
【図２】接続バーを装着した状態における一次送り端子台の全体斜視図である。
【図３】接続バーを取り外した状態における一次送り端子台の全体斜視図である。
【図４】接続バーを上方から見た斜視図である。
【図５】接続バーの上面図である。
【図６】接続バーを下方から見た斜視図である。
【図７】従来技術の説明図（特許文献１の図３）である。
【発明を実施するための形態】
【００２０】
以下に本発明の好ましい実施形態を示す。
【００２１】
図１に示すように、本実施形態の一次送り端子台１は、プラグイン式の一次送り機器２を備えた分電盤内で、３極式（Ｌ１、Ｎ、Ｌ２）の主幹ブレーカ３の一次側に接続されている。図２に示すように、一次送り端子台１は、端子台本体２５と接続バー４で構成されている。
【００２２】
図１、図２に示すように、この一次送り端子台１に装着される接続バー４は、電源線５を接続する電源線接続部６を備えた電源接続板部７と、一次送り機器２を接続する一次送り機器接続板部８と、電源接続板部７と一次送り機器接続板部８とを連結する連結板部９で構成されている。電源接続板部７と一次送り機器接続板部８と連結板部９は、何れも、平板形状を有している。
【００２３】
図３に示すように、端子台本体２５は、一次送り機器接続板部８を支持する支持部材１０を備えている。本実施形態の支持部材１０は、分電盤の基板側を基端として反対方向に向けて突出させた突部として形成され、図２に示すように、板面を分電盤の基板と平行にした状態で３層に積層された一次送り機器接続板部８の板面を垂直に貫くようにして配置される。なお、一次送り機器接続板部８には、図４に示すように、支持部材１０を貫通させる支持孔部１１が形成されている。
【００２４】
本実施形態では、図２に示すように、３層に積層された一次送り機器接続板部８間にスペーサ１２を配置しながら支持部材１０を貫通させ、上側からねじ１３により固定している。このような構造とすることにより、一次送り機器接続板部８を安定して保持することができる。
【００２５】
電源接続板部７は、図１、図５に示すように、一端に主幹ブレーカ３の一次側端子を接続する主幹ブレーカ接続部２４を備え、他端に電源線５を接続する電源線接続部６を備えている。前記のように、電源接続板部７は、平板形状を有し、各極（Ｌ１、Ｎ、Ｌ２）の電源接続板部１３は、その板面を分電盤の基板と平行にした状態で、並列配置されている。
【００２６】
図６、図４に示すように、Ｌ２極の連結板部９は、電源線接続部６近傍から、分電盤の基板方向に向けて延設させた第一延設部１４と、第一延設部１４の端部を主幹ブレーカ３の長手方向に向けて延設させた第二延設部１５と、第二延設部１５の端部を主幹ブレーカ接続部２４の接続方向もしくはその反対方向、すなわち主幹ブレーカ３の短手方向に向けて延設させた第三延設部１６と、第三延設部１６の端部を分電盤の基板と反対方向に向けて延設させた立上部１７を有している。
【００２７】
Ｎ極の連結板部９は、図６、図４に示すように、電源線接続部６近傍から、分電盤の基板方向に向けて延設させた第一延設部１４と、第一延設部１４の端部を主幹ブレーカ３の長手方向に向けて延設させた第二延設部１５と、第二延設部１５の端部を主幹ブレーカ３の短手方向に向けて延設させた第三延設部１６と、第三延設部１６の端部を主幹ブレーカ３の長手手前方向に向けて延設させた第四延設部１８と、第四延設部の端部を主幹ブレーカ３の短手方向に向けて延設させた第五延設部１９と、第五延設部１９の端部を分電盤の基板と反対方向に向けて延設させた立上部１７を有している。
【００２８】
Ｌ１極の連結板部９は、一次送り機器接続板部８が隣接配置された電源接続板部７の電源線接続部６近傍から、分電盤の基板と反対方向に向けて延設させた立上部１７を有している。
【００２９】
第一延設部１４、第二延設部１５、第三延設部１６、第四延設部１８、第五延設部１９、立上部１７は、何れも、その板面を分電盤の基板と垂直にした状態で配置されている。
【００３０】
また、第一延設部１４、第二延設部１５、第三延設部１６、第四延設部１８、第五延設部１９は、何れも、各電源接続板部と基板との間に形成される空間に配置されている。本発明では、これらをまとめて、垂直連結部と呼ぶ。
【００３１】
本発明では、このように、各極（Ｌ１、Ｎ、Ｌ２）の電源接続板部７のうち、一次送り機器接続板部８が隣接配置された電源接続板部７（Ｌ１）以外の電源接続板部７（Ｎ，Ｌ２）と、各一次送り機器接続板部８とを連結する連結板部９が、その板面を分電盤の基板と垂直にした状態で、各電源接続板部と基板との間に形成される空間に配置される垂直連結部を有する構成を採用することにより、連結板部９の露出部分を低減し、安全性を高めることができるとともに、特許文献１の技術に比べて、主幹ブレーカの一次側に接続される一次送り端子台の主幹ブレーカの長手方向距離を短縮することができ、特許文献１と同一の機能を、よりコンパクトな分電盤で実現している。
具体的には、Ｎ、Ｌ２極の第三延設部１６を、分電盤の基板の垂直方向からの投影上で電源線接続部６と主幹ブレーカ接続部２４との間に平行配置し、その板面を分電盤の基板と垂直にした状態で配置されることにより、特許文献１の技術に比べて、主幹ブレーカ３の一次側に接続される一次送り端子台の主幹ブレーカの長手方向距離を短縮させている。
その他、高容量ケーブルの曲げスペースを確保でき、入線時の作業性が向上するという効果や、分電盤の上下幅を狭めることができ、コンパクト化が図れるという効果も得られる。
【００３２】
その他、本実施形態では、第一延設部１４を電源接続板部７の左端部から延設し、第三延設部１６を電源線接続部６よりも主幹ブレーカ接続部２４寄りに形成している。
【００３３】
各極（Ｌ１、Ｎ、Ｌ２）の連結板部９は、図４に示すように、立上部１７を主幹ブレーカ３の長手方向に向けて延設させた渡り部２０を有している。渡り部２０は、同一極の一次送り機器接続板部８に直交して連なり、一次送り機器接続板部８と同一平面上に配置されている。
また、渡り部２０のうち、一次送り機器接続板部と連なる基端側の端部を、プラグイン式の一次送り機器を接続する一次送り機器接続部２６としている。
各極（Ｌ１、Ｎ、Ｌ２）の渡り部２０は、その板面を分電盤の基板と平行にした状態で積層配置され、電源接続板部７と並列配置されている。渡り部２０および一次送り機器接続部２６はブレーカの略１極分の幅であり、一次送り機器接続部２６は一次送り機器接続部８と主幹ブレーカ３の間に形成され、一次送り機器２を主幹ブレーカ３の長手方向に向けて、主幹ブレーカ３に密集させて接続することができる。
【００３４】
積層された渡り部２０のうち、最下層に配置されたＬ２極の渡り部以外の渡り部（Ｌ１極、Ｎ極の渡り部）は、同一極の一次送り機器接続板部８とを、合わせて略Ｌ字を形成するように配置されている。一次送り機器接続板部８は、その板面を分電盤の基板と平行にした状態で積層されて、Ｌ１極の電源接続板部７の側部で、渡り部２０介した位置に、まとめて配置されている。電源接続板部７の側部とは図５に示すような電源接続板部７の真横だけでなく、一方側にあればよく真横に限定されない。
【００３５】
本実施形態では、図１、図４に示すように、前記の略Ｌ字で区切られた空間のうち、内側の空間２１を、一次送り機器２を主幹ブレーカ３の長手方向に接続するための配置空間として利用するとともに、前記Ｌ字で区切られた空間のうち、外側の空間で、主幹ブレーカ３と隣接する空間２２を、一次送り機器２の配置空間として利用している。
さらに、略Ｌ字の内側部２７を電源接続板部７の側部であって、電源接続板部７の主幹ブレーカ接続部２４と電源線接続部６の一端と他端の間の範囲内に配置されている。このような構成とすることにより、一次送り機器２を主幹ブレーカ３側に密集させて配置することができるので、特許文献１に比べて、コンパクトなスペースに、多数の一次送り機器２が配置可能である。
その他、一次送り機器２を分岐ブレーカ２３や主幹ブレーカ３の入出線方向と同じにすることができるので、一次送り機器２に接続されるケーブルを主幹ブレーカ３と共通の分電盤の入出線穴に配線する為の曲げスペースが必要なくなり、配線作業性に優れるという効果も得られる。さらに、渡り部２０の基端側に対する一次送り機器接続部２６を一次送り機器接続板部８の一次送り機器２の接続箇所と同一直線上に形成した。
これにより、一次送り機器２を同一直線上に配置することができ、同じ大きさの複数の一次送り機器を接続した場合、完全に接続されているか、不完全に接続されているかの判別が容易になる。
また、複数極の一次送り機器を接続する場合でも、一次送り機器を前記一次送り機器接続板部と渡り部の前記対向面に渡って接続することができ、複数極の一次送り機器を主幹ブレーカ側に密集させて配置可能である。
【００３６】
本実施形態では、一次送り機器２としてブレーカを使用しているが、ブレーカに限定されず、開閉器や通信機器などでもよい。
【符号の説明】
【００３７】
１  一次送り端子台
２  一次送り機器
３  主幹ブレーカ
４  接続バー
５  電源線
６  電源線接続部
７  電源接続板部
８  一次送り機器接続板部
９  連結板部
１０  支持部材
１１  支持孔部
１２  スペーサ
１３  ねじ
１４  第一延設部
１５  第二延設部
１６  第三延設部
１７  立上部
１８  第四延設部
１９  第五延設部
２０  渡り部
２１  Ｌ字で区切られた空間のうち、内側の空間
２２  Ｌ字で区切られた空間のうち、外側の空間
２３  分岐ブレーカ
２４  主幹ブレーカ接続部
２５  端子台本体
２６  一次送り機器接続部
２７  内側部
【図１】
2015167452.tif 000003
【図２】
2015167452.tif 000004
【図３】
2015167452.tif 000005
【図４】
2015167452.tif 000006
【図５】
2015167452.tif 000007
【図６】
2015167452.tif 000008
【図７】
2015167452.tif 000009